(57)【要約】【課題】通信状態別の必要ビット数を満たす転送が行えること。【解決手段】無線通信時の受信データを処理した処理情報に基づき、ＲＦＩＣ部１５０とベースバンド処理部１０１のＤｉｇＲＦインターフェース間のデジタルデータ転送に必要なデータ長を判定するＤｉｇＲＦ転送ｂｉｔ数判定部５７１と、ＤｉｇＲＦ転送ｂｉｔ数判定部５７１により判定されたデータ長によりデータ転送を行う送信側のＤｉｇＲＦインターフェース部１５２と、を有する。ＤｉｇＲＦ転送ｂｉｔ数判定部５７１は、受信データの受信状態別に必要なデータ長に対応するＤｉｇＲＦインターフェース部１５２の転送ビット数を判定する。【選択図】図５
2014232957.tif 000002
【特許請求の範囲】
【請求項１】
無線通信時の受信データを処理した処理情報に基づき、無線回路同士のインターフェース間のデジタルデータ転送に必要なデータ長を判定する判定部と、
前記判定部により判定されたデータ長によりデータ転送を行う送信側のインターフェース部と、
を有することを特徴とするインターフェース装置。
【請求項２】
前記インターフェースは、ＤｉｇＲＦインターフェースであり、
前記判定部は、受信データの受信状態別に必要なデータ長を判定することを特徴とする請求項１に記載のインターフェース装置。
【請求項３】
前記判定部は、前記処理情報としてチャネル品質指標に基づき選択される無線変調方式別に必要なデータ長を判定することを特徴とする請求項１または２に記載のインターフェース装置。
【請求項４】
前記判定部は、前記受信状態別に対応した無線変調方式に必要なデータ長を判定することを特徴とする請求項２に記載のインターフェース装置。
【請求項５】
前記判定部は、前記受信データの受信状態別に必要なデータ長に対応する転送ビット数を判定し、
前記インターフェース部は、前記転送ビット数に基づきデータ量子化し、データ転送を行うことを特徴とする請求項２〜４のいずれか一つに記載のインターフェース装置。
【請求項６】
データ送信側の無線回路は、受信データをＡＤ変換するＡＤ変換器と、
前記ＡＤ変換器が出力するデジタル信号をデータ受信側の無線回路に転送する送信側のインターフェース部とを含み、
前記ＡＤ変換器の量子化ビット数が固定の場合、
前記インターフェース部は、前記転送ビット数に対応して、前記ＡＤ変換器が出力する下位ビットを切り捨てることを特徴とする請求項５に記載のインターフェース装置。
【請求項７】
請求項１〜５のいずれか一つに記載のインターフェース装置を備えたことを特徴とする無線装置。
【請求項８】
請求項１〜５のいずれか一つに記載のインターフェース装置としてハードウェア回路を構成させるハードウェア記述言語を含むことを特徴とするプログラム。
【請求項９】
無線電波を受信する無線部と、
通信方式が切替可能なベースバンド処理部と、
前記無線部と前記ベースバンド処理部との間のデータ転送を行うインターフェース装置と、を含む通信システムにおいて、
前記インターフェース装置は、
運用中の通信方式による無線通信時の受信データを処理した処理情報に基づき、無線回路同士のインターフェース間のデジタルデータ転送に必要なデータ長を判定する判定部と、
前記判定部により判定されたデータ長によりデータ転送を行う送信側のインターフェース部と、
を有することを特徴とする通信システム。
【請求項１０】
無線通信時の受信データを処理した処理情報に基づき、無線回路同士のインターフェース間のデジタルデータ転送に必要なデータ長を判定する判定ステップと、
前記判定ステップによって判定されたデータ長を有して、送信側のインターフェース部によりデータ転送を行う転送ステップと、
を含むことを特徴とするインターフェース制御方法。
【請求項１１】
前記インターフェースは、ＤｉｇＲＦインターフェースであり、
前記判定ステップは、受信データの受信状態別に必要なデータ長を判定することを特徴とする請求項１０に記載のインターフェース制御方法。
【発明の詳細な説明】
【技術分野】
【０００１】
本発明は、回路間のデータ転送を行うインターフェース装置、通信システム、インターフェース制御方法、無線装置およびプログラムに関する。
【背景技術】
【０００２】
携帯電話機等の無線装置は、ＲＦ（Ｒａｄｉｏ  Ｆｒｅｑｕｅｎｃｙ）部（無線部）と、ベースバンド処理部とを含む。これら無線部とベースバンド処理部との間のインターフェースは、アナログ信号線と、デジタルおよび／またはアナログの制御線とから形成されている。近年、ＲＦＩＣ（Ｉｎｔｅｇｒａｔｅｄ  Ｃｉｒｃｕｉｔ）のＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）化が進んでいる。これに伴い、ＡＤＣ（アナログ−デジタル変換器）あるいはＤＡＣ（デジタル−アナログ変換器）をＲＦＩＣに内蔵することが可能となっている。そして、ＤｉｇＲＦと呼ばれる、無線部のＲＦＩＣと、ベースバンド処理部のデジタルＩＣとをデジタルインターフェースで接続する規格が作られ、対応する無線装置が提案されている（例えば、下記特許文献１，２参照。）。
【先行技術文献】
【特許文献】
【０００３】
【特許文献１】特開２０１０−１５４１６０号公報
【特許文献２】特開２０１０−２６８３９５号公報
【発明の概要】
【発明が解決しようとする課題】
【０００４】
しかしながら、無線部とベースバンド部との間のインターフェースにおいて、データ部分（ペイロード）のデータ長が固定であったため、電力消費が非効率になる等の問題が生じた。例えば、通信状態ごとに必要なデータ部分のデータ長（量子化精度：量子化ビット数）は異なり、通信状態別に過剰分あるいは不足分のビットが生じる。
【０００５】
図１６は、通信状態別に必要なデータビット数を示す図表である。例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：登録商標）の通信方式の各通信状態で、受信性能を満たすために必要な受信データ（ＩＱ信号）のビット数が異なる。セルサーチ等の間欠受信時には、変調方式がＱＰＳＫ（ＳＦ２５６）であり、必要ビット数（量子化精度）は４ｂｉｔであり、４ｂｉｔ過剰となる。また、通話等のＤＣＨ受信時は  変調方式がＱＰＳＫ（ＳＦ１２８）であり、必要ｂｉｔ数は５ｂｉｔであり、３ｂｉｔ過剰となる。また、上りデータ制御のためのＨＳＵＰＡ受信時は、変調方式がＱＰＳＫ（ＳＦ１２８）であり、必要ｂｉｔ数はＤＣＨのように誤り訂正符号が付加されないため、７ｂｉｔで受信性能を満たすことができ、１ｂｉｔ過剰となる。これら過剰となるビット数は、ＤｉｇＲＦにおいて差動信号（ＬＶＤＳ：Ｌｏｗ  ｖｏｌｔａｇｅ  ｄｉｆｆｅｒｅｎｔｉａｌ  ｓｉｇｎａｌｉｎｇ）で転送しているため、不必要な消費電流を消費していることになる。
【０００６】
また、３Ｇ規格のＨＳＤＰＡ受信時には、変調方式が１６ＱＡＭであり、必要ｂｉｔ数は８ｂｉｔである。このほか、３Ｇ規格のＨＳＰＡ＋の受信時には、変調方式が６４ＱＡＭであり、ＩＱ信号の振幅成分を使用して高精度な復調を行うことから、必要ｂｉｔ数は９ｂｉｔ以上であり、１ｂｉｔ以上の不足が生じ、ＨＳＰＡ＋の受信性能を満たせない場合が生じる。
【０００７】
一つの側面では、本発明は、通信状態別の必要ビット数を満たす転送が行えることを目的とする。
【課題を解決するための手段】
【０００８】
一つの案では、無線通信時の受信データを処理した処理情報に基づき、無線回路同士のインターフェース間のデジタルデータ転送に必要なデータ長を判定する判定部と、前記判定部により判定されたデータ長によりデータ転送を行う送信側のインターフェース部と、を有するインターフェース装置を用いる。
【発明の効果】
【０００９】
一つの実施形態によれば、通信状態別の必要ビット数を満たす転送が行えるようになる。
【図面の簡単な説明】
【００１０】
【図１】図１は、インターフェース装置の概要構成を示すブロック図である。
【図２】図２は、ＤｉｇＲＦインターフェースの通信フォーマットを示す図表である。
【図３】図３は、ＤｉｇＲＦインターフェース部の内部機能を示すブロック図である。
【図４】図４は、受信ダイバーシティおよびＭＩＭＯ通信を１チップのＲＦＩＣ１５０を用いて処理するワンレーン構成例を示すブロック図である。
【図５】図５は、実施の形態１にかかるインターフェース装置の構成を示すブロック図である。
【図６】図６は、実施の形態１にかかるインターフェース装置による受信データの通信処理内容を示すシーケンス図である。
【図７】図７は、実施の形態１にかかる受信状態別の転送ビット数の判定処理内容を示すフローチャートである。
【図８】図８は、実施の形態１にかかる受信状態別のＡＤＣの量子化処理を説明する図表である。
【図９】図９は、実施の形態１にかかる受信状態別のＤｉｇＲＦ転送ビット数の可変状態を示す図表である。
【図１０】図１０は、実施の形態１にかかるインターフェース装置による受信データのＬＶＤＳ通信フォーマットを示す図表である。
【図１１】図１１は、実施の形態２にかかるインターフェース装置の構成を示すブロック図である。
【図１２】図１２は、実施の形態２にかかる受信状態別の変調方式の設定内容を示す図表である。
【図１３】図１３は、実施の形態２にかかるＤｉｇＲＦ転送ｂｉｔ数判定例を示す図表である。
【図１４】図１４は、実施の形態３にかかるインターフェース装置の構成を示すブロック図である。
【図１５】図１５は、実施の形態３にかかる通信モードの切替処理を示すフローチャートである。
【図１６】図１６は、通信状態別に必要なデータビット数を示す図表である。
【発明を実施するための形態】
【００１１】
（ＤｉｇＲＦ規格の概要）
以下に添付図面を参照して、開示技術の好適な実施の形態を詳細に説明する。はじめに、ＤｉｇＲＦ規格について説明する。図１は、インターフェース装置の概要構成を示すブロック図である。図１のインターフェース装置１００は、例えば、通信システムにおける携帯電話機等の無線装置に設けられ、ベースバンド処理部１０１と、無線部としてのＲＦＩＣ部１５０との間のデータ伝送を行う。
【００１２】
ベースバンド処理部１０１側のＤｉｇＲＦインターフェース部１１１には、送信信号（Ｔｘ  Ｉ／Ｑ  Ｄａｔａ）と、制御信号（Ｃｏｎｔｒｏｌ  Ｄａｔａ）が入力され、インターフェース上のデジタルの送信データ（Ｔｘ  Ｐａｔｈ）のＬＶＤＳ信号に変換する。Ｔｘ  Ｐａｔｈは、無線部側のＲＦＩＣ部１５０に設けられたＤｉｇＲＦインターフェース部１５１に送信される。
【００１３】
ベースバンド処理部１０１側のＤｉｇＲＦインターフェース部１１２は、無線部側のＲＦＩＣ部１５０に設けられた送信側のＤｉｇＲＦインターフェース部１５２から送信される受信データ（Ｒｘ  Ｐａｔｈ）のＬＶＤＳ信号をデータ変換する。そして、受信信号（Ｒｘ  Ｉ／Ｑ  Ｄａｔａ）と、制御信号（Ｃｏｎｔｒｏｌ  Ｄａｔａ）を出力する。
【００１４】
このように、ベースバンド処理部１０１側と、無線部側のＲＦＩＣ部１５０側にそれぞれＤｉｇＲＦインターフェース部１１１，１１２，１５１，１５２が設けられ、相互にＩＱデータや制御データの送受信を行う。
【００１５】
また、ＲＦＩＣ部１５０のＤｉｇＲＦインターフェース部１５１には、ＤＡ変換器（ＤＡＣ）１５３が設けられ、送信信号がデジタル−アナログ変換され、アンテナ１６０から送信される。アンテナ１６０により受信した受信信号は、ＡＤ変換器（ＡＤＣ）１５４によりアナログ−デジタル変換され、ＤｉｇＲＦインターフェース部１５２に出力される。
【００１６】
図２は、ＤｉｇＲＦインターフェースの通信フォーマットを示す図表である。図１に示す送信データ（Ｔｘ  Ｐａｔｈ）と、受信データ（Ｒｘ  Ｐａｔｈ）の通信フォーマットについて示してある。図２の（ａ）に示す送信データ（Ｔｘ  Ｐａｔｈ）２０１と、図２の（ｂ）に示す受信データ（Ｒｘ  Ｐａｔｈ）２０２共に、Ｓｙｎｃと呼ばれる１６ｂｉｔの同期検出パターンビットと、Ｈｅａｄｅｒと呼ばれるデータの種別を通知する８ｂｉｔの先頭ビットと、Ｐａｙｌｏａｄと呼ばれる８ｂｉｔから５１２ｂｉｔのＤａｔａビットで構成されている。ＤｉｇＲＦの規格では、Ｐａｙｌｏａｄのｂｉｔ数は、Ｔｘ  ＩＱ  Ｄａｔａは９６ｂｉｔ、ＲｘＩＱ  Ｄａｔａは２５６ｂｉｔに定められている。
【００１７】
また、ＤｉｇＲＦインターフェースでは、ＩＱデータの他に、制御データ（Ｃｏｎｔｒｏｌ  Ｄａｔａ）２０３の転送も行う。制御データ２０３のフォーマットは、ＩＱデータと同様なフォーマットである。例として、図２の（ｃ）には、制御データのＰａｙｌｏａｄサイズが３２ｂｉｔである場合のタイミングチャートを示している。制御データは、ＩＱデータの送信の合間に転送を行い、ＩＱデータと制御データのタイミングが重なった場合は、先に転送を行ったデータの転送が完了するのを待って、もう一方の転送を行う。
【００１８】
図３は、ＤｉｇＲＦインターフェース部の内部機能を示すブロック図である。ＤｉｇＲＦインターフェース部１１１は、送信データ（Ｔｘ  Ｐａｔｈ）の処理として、Ｔｘ  Ｉ／Ｑ  Ｃｏｎｔｒｏｌ  Ｄａｔａ  Ｍｕｘ処理部３０１では、入力されるＴｘ  Ｉ／Ｑ  Ｄａｔａと、Ｃｏｎｔｒｏｌ  Ｄａｔａの多重処理を行う。Ｐａｒａｌｌｅｌ／Ｓｅｒｉａｌ処理部３０２は、多重処理を行ったデータのＳｅｒｉａｌ変換処理を行う。Ｓｙｎｃ  Ｍｕｘ処理部３０３は、Ｓｙｎｃビットの付加処理を行う。ＬＶＤＳ  Ｄｒｉｖｅｒ３０４では、ＬＶＤＳ送信するデータをＬＶＤＳ信号に変換処理する。
【００１９】
また、ＤｉｇＲＦインターフェース部１１２は、受信データ（Ｒｘ  Ｐａｔｈ）の処理として、ＬＶＤＳ  Ｒｅｃｅｉｖｅｒ３１１は、ＬＶＤＳ受信によりデータ受信し、Ｓｉｎｇｌｅ信号へと変換する。Ｔｉｍｅ  Ａｌｉｇｎｍｅｎｔ処理部３１２は、受信信号をサンプリング処理する。Ｓｙｎｃ  Ｄｅｔｅｃｔ処理部３１３は、サンプリング処理したデータのＳｙｎｃビットを検出し、ＤｉｇＲＦ規格で規定されたＳｙｎｃパターンと一致比較を行って同期検出処理を行う。Ｓｅｒｉａｌ／Ｐａｒａｌｌｅｌ処理部３１４は、データのＰａｒａｌｌｅｌ変換処理を行う。ＲｘＩ／Ｑ  Ｃｏｎｔｒｏｌ  Ｄｅｔｅｃｔ処理部３１５は、Ｈｅａｄｅｒを解析し、ＰａｙｌｏａｄをＲｘＩ／Ｑ  Ｄａｔａと、ＲＦＩＣ  Ｒｅｓｐｏｎｓｅ（Ｃｏｎｔｒｏｌ  Ｄａｔａ）との分岐処理を行う。
【００２０】
図４は、受信ダイバーシティおよびＭＩＭＯ通信を１チップのＲＦＩＣ１５０を用いて処理するワンレーン構成例を示すブロック図である。図４に示すベースバンド処理部１０１と、ＲＦＩＣ部１５０の物理的な接続は、シングルアンテナの場合と同様に、１組の送信データ（Ｔｘ  ＰａｔｈのＬＶＤＳ信号）と、受信データ（Ｒｘ  ＰａｔｈのＬＶＤＳ信号）により構成される。一方のアンテナＡｎｔ１（１６０ａ）側には、送信信号と受信信号を分離するサーキュレータ４００を設ける。
【００２１】
ＲＦＩＣ部１５０は、２つのアンテナＡｎｔ１（１６０ａ）と、Ａｎｔ２（１６０ｂ）によって受信した無線電波をそれぞれで２つのＡＤＣ１５４ａ，１５４ｂによりデジタル変換処理する。そして、Ａｎｔ１（１６０ａ）とＡｎｔ２（１６０ｂ）のＲｘＩ／Ｑ  Ｄａｔａをマルチプレクサ（ＭＵＸ）４０１によりＭＵＸ処理する。この後、シングルアンテナ時と同様に、ＤｉｇＲＦインターフェース部１５２によりＬＶＤＳ信号へと変換し、ベースバンド処理部１０１に転送する。
【００２２】
ベースバンド処理部１０１では、ＤｉｇＲＦインターフェース部１１２にて、ＬＶＤＳ信号を受信し、デマルチプレクサ（ＤｅＭＵＸ）４０２によるＤｅＭＵＸ処理を行い、２つのアンテナ（Ａｎｔ１，Ａｎｔ２）に対応するＲｘＩ／Ｑ  Ｄａｔａの分離処理を行って出力する。
【００２３】
（実施の形態１）
図５は、実施の形態１にかかるインターフェース装置の構成を示すブロック図である。上述した構成と同一の構成部には同一の符号を付してある。実施の形態１は、無線方式がＷＣＤＭＡの場合に対応したインターフェース装置５００の構成例を用いて説明する。
【００２４】
受信処理の構成については、ＲＦＩＣ部１５０のＲｘＡＤＣ１５４により受信データのＡ／Ｄ変換を行い、ＤｉｇＲＦインターフェース部１５２により、受信データをＤｉｇＲＦパケットへ変換し、ＬＶＤＳのドライバ制御を行う。
【００２５】
そして、ベースバンド処理部１０１のＤｉｇＲＦインターフェース部１１２によりＤｉｇＲＦ信号のレシーバー処理を行う。そして、逆拡散処理部５１１により受信信号の逆拡散処理を行う。
【００２６】
逆拡散処理部５１１の逆拡散処理によってチャネル分離され、復調処理部５１２により各受信信号別に復調処理され、復号処理部５１３によって復号処理される。ＣＰＩＣＨ復調処理部５１２ａでは、パイロットチャネル（ＣＰＩＣＨ：Ｃｏｍｍｏｎ  ＰＩｌｏｔ  ＣＨａｎｎｅｌ）の復調処理を行い、Ｃｅｌｌ  Ｓｅａｒｃｈ処理部５１３ａによりＣＰＩＣＨを使用して、セルサーチ処理を行う。ＳＩＲ算出処理部５１４は、受信信号とノイズ比を表すＳＩＲ値を算出する。ＣＱＩ報告値算出処理部５１５は、算出したＳＩＲ値からチャネル品質指標のＣＱＩ報告値を算出する。このＣＱＩ報告値は、テーブルを用いて算出処理する。
【００２７】
また、ＤＰＣＨ復調処理部５１２ｂは、物理チャネル（ＤＰＣＨ：Ｄｅｄｉｃａｔｅｄ  Ｐｈｙｓｉｃａｌ  ＣＨａｎｎｅｌ）の復調処理を行い、ＤＰＣＨ復号処理部５１３ｂによりＤＰＣＨの復号処理を行う。
【００２８】
また各物理チャネルであるＥ−ＡＧＣＨ（Ｅｎｈａｎｃｅｄ  Ｄｅｄｉｃａｔｅｄ  ＣＨａｎｎｅｌ（Ｅ−ＤＣＨ）Ａｂｓｏｌｕｔｅ  Ｇｒａｎｔ  ＣＨａｎｎｅｌ），Ｅ−ＲＧＣＨ（Ｅ−ＤＣＨ  Ｒｅｌａｔｉｖｅ  Ｇｒａｎｔ  Ｃｈａｎｎｅｌ），Ｅ−ＨＩＣＨ（Ｅ−ＤＣＨ  Ｈｙｂｒｉｄ  ＡＲＱ  Ｉｎｄｉｃａｔｏｒ  ＣＨａｎｎｅｌ）復調処理部５１２ｃを有する。このＥ−ＡＧＣＨ，Ｅ−ＲＧＣＨ，Ｅ−ＨＩＣＨ復調処理部５１２ｃは、ＨＳＵＰＡ（Ｈｉｇｈ−Ｓｐｅｅｄ  Ｕｐｌｉｎｋ  Ｐａｃｋｅｔ  Ａｃｃｅｓｓ）の下りチャネルの復調処理を行う。
【００２９】
また、ＨＳ（Ｈｉｇｈ  Ｓｐｅｅｄ）−ＳＣＣＨ（Ｓｈａｒｅｄ  Ｃｏｎｔｒｏｌ  ＣＨａｎｎｅｌ），ＨＳ−ＤＰＣＨ復調処理部５１２ｄは、ＨＳＤＰＡ下りチャネルの復調処理を行う。ＨＳ−ＤＰＣＨ復号処理部５１３ｃは、ＨＳ−ＤＰＣＨの復号処理を行う。そして、ＣＱＩ／ＡＣＫ／ＮＡＣＫスケジューリング処理部５５１は、ＨＳ−ＤＰＣＣＨの復号化処理を行う。
【００３０】
送信処理の構成については、ＤＣＨ（Ｄｅｄｉｃａｔｅｄ  ＣＨａｎｎｅｌ）／Ｅ−ＤＣＨ復号処理部５６１により、ＤＣＨおよびＥ−ＤＣＨの復号処理を行い、ＤＰＣＣＨ（Ｄｅｄｉｃａｔｅｄ  Ｐｈｙｓｉｃａｌ  Ｃｏｎｔｒｏｌ  ＣＨａｎｎｅｌ）／ＤＰＤＣＨ（Ｄｅｄｉｃａｔｅｄ  Ｐｈｙｓｉｃａｌ  Ｄａｔａ  ＣＨａｎｎｅｌ）／ＨＳ−ＤＰＣＣＨ／Ｅ−ＤＣＨ符号化処理部５６２にて、送信データの符号化処理を行う。
【００３１】
この後、送信処理部５６３により、逆拡散処理部５１１の送信タイミング信号に合わせて送信処理を行う。ＤｉｇＲＦインターフェース部１１１は、送信データをＤｉｇＲＦパケットに変換し、ＬＶＤＳのドライバ制御を行う。
【００３２】
そして、ＲＦＩＣ部１５０のＤｉｇＲＦインターフェース部１５１によりＤｉｇＲＦ信号のレシーバー処理を行い、Ｔｘ  ＤＡＣ１５３により、送信データのＤ／Ａ変換を行い、送信出力処理を行う。
【００３３】
この実施の形態では、ＤｉｇＲＦ制御部５０１が上記のＤｉｇＲＦインターフェース部１１１，１１２と、ＤｉｇＲＦ転送ｂｉｔ数判定部（判定部）５７１と、ＤｉｇＲＦ転送ｂｉｔ数制御コマンド生成部５７２とを含む。ＤｉｇＲＦ転送ｂｉｔ数判定部５７１は、各種の受信状態情報を基に、ＤｉｇＲＦ転送ｂｉｔ数の判定を行う。各種の受信状態情報としては、Ｃｅｌｌ  Ｓｅａｒｃｈ処理部５１３ａが出力するＣｅｌｌ  Ｓｅａｒｃｈ処理情報、ＤＰＣＨ復号処理部５１３ｂが出力するＤＰＣＨ処理情報がある。また、Ｅ−ＡＧＣＨ，Ｅ−ＲＧＣＨ，Ｅ−ＨＩＣＨ復調処理部５１２ｃが出力するＨＳＵＰＡ処理情報、ＣＱＩ報告値算出処理部５１５が出力するＣＱＩ報告値がある。ＤｉｇＲＦ転送ｂｉｔ数判定部５７１は、これらの各種情報を基にＤｉｇＲＦ転送ｂｉｔ数の判定を行う。
【００３４】
ＤｉｇＲＦ転送ｂｉｔ数判定部５７１により判定されたＤｉｇＲＦ転送ｂｉｔ数は、ＤｉｇＲＦ転送ｂｉｔ数制御コマンド生成部５７２により、制御コマンド化されてＤｉｇＲＦインターフェース部１１１に出力される。
【００３５】
そして、ＲＦＩＣ部１５０には、ＤｉｇＲＦ転送ｂｉｔ数制御部５８１を設ける。ＲＦＩＣ部１５０のＤｉｇＲＦインターフェース部１５１は、送信データ（Ｔｘ  Ｐａｔｈ）からＤｉｇＲＦ転送ｂｉｔ数制御コマンドを抽出し、ＤｉｇＲＦ転送ｂｉｔ数制御部５８１に出力する。
【００３６】
ＤｉｇＲＦ転送ｂｉｔ数制御部５８１は、ＤｉｇＲＦ転送ｂｉｔ数に基づき、あらたに受信する受信データについて、ＤｉｇＲＦインターフェース部１５２が行う転送ビット数を可変制御する。
【００３７】
（インターフェース装置の通信処理内容）
図６は、実施の形態１にかかるインターフェース装置による受信データの通信処理内容を示すシーケンス図である。ＲＦＩＣ部１５０は、受信データ（ＩＱデータ）の受信に基づき、ＤｉｇＲＦインターフェース部１５２がＤｉｇＲＦパケットを生成し（ステップＳ６０１）、ベースバンド処理部１０１に送信（転送）する。ベースバンド処理部１０１のＤｉｇＲＦインターフェース部１１２は、受信パケットを受信すると（ステップＳ６０２）、逆拡散処理部５１１に出力する。
【００３８】
逆拡散処理部５１１は、ＩＱデータを受信すると（ステップＳ６０３）、ＩＱデータを逆拡散処理し（ステップＳ６０４）、ＩＱデータの各チャネルのビット幅の縮小処理を行い（ステップＳ６０５）、逆拡散データを各復調処理部５１２に出力する。各復調処理部５１２（５１２ａ〜５１２ｄ）は、チャネル別の復調処理を行い（ステップＳ６０６）、復調データを復号処理部（Ｃｅｌｌ  Ｓｅａｒｃｈ処理部を含む）５１３に出力する。各復号処理部５１３（５１３ａ〜５１３ｃ）は、各チャネル別のセルサーチ処理、および復号処理を行う（ステップＳ６０７）。
【００３９】
これにより、ベースバンド処理部１０１のＤｉｇＲＦ転送ｂｉｔ数判定部５７１には、各種の受信状態情報が入力される。各種の受信状態情報としては、上述したＣｅｌｌ  Ｓｅａｒｃｈ処理情報、ＤＰＣＨ処理情報、ＨＳＵＰＡ処理情報、ＣＱＩ報告値等である。ＤｉｇＲＦ転送ｂｉｔ数判定部５７１は、これらの各種情報を基にＤｉｇＲＦ転送ｂｉｔ数の判定処理を行う（ステップＳ６０８）。そして、この判定されたＤｉｇＲＦ転送ｂｉｔ数は、ＤｉｇＲＦ転送ｂｉｔ数制御コマンド生成部５７２により、制御コマンド化され（ステップＳ６０９）、ＤｉｇＲＦインターフェース部１１１からＲＦＩＣ部１５０に転送出力される。
【００４０】
ＲＦＩＣ部１５０では、ＤｉｇＲＦインターフェース部１５１により、ベースバンド処理部１０１から転送されたＤｉｇＲＦ転送ｂｉｔ数制御コマンドを抽出し、ＤｉｇＲＦ転送ｂｉｔ数制御部５８１に出力する。ＤｉｇＲＦ転送ｂｉｔ数制御部５８１は、ＤｉｇＲＦ転送ｂｉｔ数制御処理を行う（ステップＳ６１０）。これにより、ＤｉｇＲＦ転送ｂｉｔ数制御部５８１は、ＤｉｇＲＦ転送ｂｉｔ数に基づき、あらたに受信するＩＱデータについて、ＤｉｇＲＦインターフェース部１５２が行うＤｉｇＲＦパケット生成の転送ビット数を可変制御する（ステップＳ６１１）。
【００４１】
（受信状態別の転送ビット数の制御について）
本実施の形態では、受信状態別に必要なデータ部分のビット数が常に適切なビット数となるようにＤｉｇＲＦ転送ｂｉｔ数判定部５７１によりビット数を判定し、判定結果に基づいて、ＲＦＩＣ部１５０のＤｉｇＲＦインターフェース部１５２は、この判定結果に基づいてビット数を用いてデータ転送を行う。
【００４２】
例えば、ＤｉｇＲＦ転送ｂｉｔ数判定部５７１は、受信状態別として、間欠受信時、ＤＣＨ受信時、ＨＳＵＰＡ受信時、ＨＳＤＰＡ受信時、ＨＳＰＡ＋（６４ＱＡＭ）受信時のそれぞれの通信状態を判別する。そして、受信状態別にＤｉｇＲＦ通信で転送するｂｉｔ数を制御する。この際、図１６に示したように、間欠受信時、ＤＣＨ受信時、ＨＳＵＰＡ受信時には、過剰な転送ビット数を減らして、消費電流の削減を行う。また、ＨＳＰＡ＋（６４ＱＡＭ）受信時では、転送ビット数を増やして、６４ＱＡＭ通信の受信性能を満たせるように転送を行う。
【００４３】
図７は、実施の形態１にかかる受信状態別の転送ビット数の判定処理内容を示すフローチャートである。図６のステップＳ６０８において、ＤｉｇＲＦ転送ｂｉｔ数判定部５７１が行う判定処理内容を示している。
【００４４】
ＤｉｇＲＦ転送ｂｉｔ数判定部５７１は、ＤｉｇＲＦ転送ｂｉｔ数判定処理を開始すると、入力される各処理情報の有無を判断する（ステップＳ７０１〜ステップＳ７０４）。いずれの処理情報も入力されていなければ（ステップＳ７０１：Ｎｏ〜ステップＳ７０４Ｎｏ）、転送ビット数を規定値（Ｄｅｆａｕｌｔ）の８ｂｉｔとする（ステップＳ７０５）。
【００４５】
また、ステップＳ７０１においてＨＳＤＰＡ処理情報があれば（ステップＳ７０１：Ｙｅｓ）、ＣＱＩ報告値算出処理部５１５が出力するＣＱＩ報告値が所定値以上（例えば２６以上）であるか否かを判断する（ステップＳ７０６）。ＣＱＩ報告値が所定値以上（例えば２６以上）となれば（ステップＳ７０６：Ｙｅｓ）、通信速度が速いＨＳＰＡ＋（変調方式：６４ＱＡＭ、図１６参照）に対応して、転送ビット数を９ｂｉｔと判定する（ステップＳ７０７）。これにより、受信データのＡＤＣ１５４の精度を向上させ、固定の８ｂｉｔを９ｂｉｔに変更して１ｂｉｔの不足を補う。
【００４６】
一方、ＣＱＩ報告値が所定値未満（例えば２６未満）となれば（ステップＳ７０６：Ｎｏ）、ＨＳＤＰＡ（変調方式：１６ＱＡＭ）に対応して、転送ビット数を８ｂｉｔと判定する（ステップＳ７０８）。
【００４７】
また、ステップＳ７０１においてＨＳＤＰＡ処理情報がない場合（ステップＳ７０１：Ｎｏ）、次に、ＨＳＵＰＡ処理情報があるか判断する（ステップＳ７０２）。ＨＳＵＰＡ処理情報があれば（ステップＳ７０２：Ｙｅｓ）、ＨＳＵＰＡ（変調方式：ＱＰＳＫ（ＳＦ１２８））に対応して、転送ビット数を７ｂｉｔと判定する（ステップＳ７０９）。
【００４８】
また、ステップＳ７０２においてＨＳＵＰＡ処理情報がない場合（ステップＳ７０２：Ｎｏ）、次に、ＤＣＨ処理情報があるか判断する（ステップＳ７０３）。ＤＣＨ処理情報があれば（ステップＳ７０３：Ｙｅｓ）、ＤＣＨ（変調方式：ＱＰＳＫ（ＳＦ１２８））に対応して、転送ビット数を５ｂｉｔと判定する（ステップＳ７１０）。
【００４９】
また、ステップＳ７０３においてＤＣＨ処理情報がない場合（ステップＳ７０３：Ｎｏ）、次に、間欠受信処理情報があるか判断する（ステップＳ７０４）。間欠受信処理情報があれば（ステップＳ７０４：Ｙｅｓ）、セルサーチ（ＣＰＩＣＨ）等の間欠受信（変調方式：ＱＰＳＫ（ＳＦ２５６））に対応して、転送ビット数を４ｂｉｔと判定する（ステップＳ７１１）。
【００５０】
これにより、実施の形態によれば、図１６に示した各通信状態別に必要なＤｉｇＲＦ転送ｂｉｔ数について、過剰あるいは不足ビットなくいずれも満たすことができ、各受信状態別の受信性能に対応した精度を有してデータ転送できるようになる。
【００５１】
図８は、実施の形態１にかかる受信状態別のＡＤＣの量子化処理を説明する図表である。ＲＦＩＣ部１５０のＡＤＣ１５４の量子化ビット数が固定（１０ｂｉｔ）である場合を例に説明する。この場合、上述した受信状態別の転送ビット数の判定処理に対応して、ＤｉｇＲＦインターフェース部１５２が転送ビット数を可変制御する。例えば、図８に示すように、ＡＤＣ１５４の量子化範囲が＋１〜−１であるとき、ｂｉｔ数判定結果が９ｂｉｔの場合、下位１ｂｉｔを切り捨てる。また、ｂｉｔ数判定結果が７ｂｉｔの場合、下位３ｂｉｔを切り捨て、ｂｉｔ数判定結果が４ｂｉｔの場合、下位６ｂｉｔを切り捨てればよい。
【００５２】
図９は、実施の形態１にかかる受信状態別のＤｉｇＲＦ転送ビット数の可変状態を示す図表である。受信ダイバーシティワンレーン時のＤｉｇＲＦ転送ビット数を示す。また、既存の固定のＤｉｇＲＦ転送ビット数についても対比用に記載してある。
【００５３】
図９の（ａ）の対比表に示すように、既存のＤｉｇＲＦ転送ｂｉｔ数は、受信状態にかかわりなく量子化精度が必要ビット数８ビットに固定であるため、常にデータ長が５６０ｂｉｔのＤｉｇＲＦ転送を行っている。これに対し、実施の形態では、必要ビット数に応じて量子化精度を可変させ、間欠受信時では３０４ｂｉｔ、ＤＣＨ受信時では３６８ｂｉｔ、ＨＳＵＰＡ受信時は４９６ｂｉｔ、ＨＳＤＰＡ受信時は５６０ｂｉｔ、ＨＳＰＡ＋受信時は６２４ｂｉｔのＤｉｇＲＦ転送を行う。
【００５４】
これにより、図９の（ｂ）の対比グラフに示すように、間欠受信時、ＤＣＨ受信時、ＨＳＵＰＡ受信時は、いずれも、必要ビット数に対応して、過剰ビット分を減らしているため、ＤｉｇＲＦ転送ｂｉｔ数を削減することができる。一方、ＨＳＰＡ＋受信時には、必要ビットに対応して不足分の１ｂｉｔを増やし、ＨＳＰＡ＋の受信性能に対応した精度のデータ転送を行えるようになる。
【００５５】
図１０は、実施の形態１にかかるインターフェース装置による受信データのＬＶＤＳ通信フォーマットを示す図表である。ＤｉｇＲＦ規格では、ＤｉｇＲＦパケットが転送されていない区間は、差動電流をＣｏｍｍｏｎ電圧として消費電流を削減し、省電力区間を形成している。
【００５６】
受信データ（Ｒｘ  Ｐａｔｈ）は、既存の固定の量子化精度（必要ビット数）８ｂｉｔのとき、実施の形態のＨＳＤＰＡ受信時と同等となる。このＨＳＤＰＡ受信時、ペイロードのデータ長は、ＩＱデータそれぞれ２５６ｂｉｔとなり、所定ビット（９０ｂｉｔ）分の省電力区間２８８．５ｎｓを有する。
【００５７】
そして、実施の形態では、ＣＣＩＣＨ等の間欠受信時の量子化精度（必要ビット数）は、４ｂｉｔであるため、ペイロードのデータ長は、ＩＱデータそれぞれ１２８ｂｉｔとなり、所定ビット（３４６ｂｉｔ）分の省電力区間約１１０９．０ｎｓを形成できる。この際、既存の省電力区間に対して８２０．５ｎｓ分多く省電力区間を形成できる（区間Ａ）。
【００５８】
また、ＤＣＨ受信時の省電力区間は約９０３．８ｎｓとなり、既存の省電力区間に対して、６１５．３ｎｓ分多く省電力区間を形成できる（区間Ｂ）。また、ＨＳＵＰＡ受信時の省電力区間は約４９３．６ｎｓとなり、既存の省電力区間に対して、２０５．１ｎｓ分多く省電力区間を形成できる（区間Ｃ）。
【００５９】
また、ＨＳＰＡ＋受信時は、量子化精度（一葉ビット数）が９ｂｉｔの転送を行うことが可能となる。なお、省電力区間は、８３．３ｎｓとなり、２０５．２ｎｓ分省電力区間が縮小される（区間Ｄ）。
【００６０】
（実施の形態２）
図１１は、実施の形態２にかかるインターフェース装置の構成を示すブロック図である。実施の形態２は、無線方式がＬＴＥ（Ｌｏｎｇ  Ｔｅｒｍ  Ｅｖｏｌｕｔｉｏｎ）の無線装置に適用したインターフェース装置１１００の構成例について説明する。実施の形態２において実施の形態１と同様の構成部には同様の符号を付してある。
【００６１】
実施の形態２は、ベースバンド処理部１１０１の復調処理部１１０２と、復号処理部１１０３が実施の形態１と異なる。復調処理部１１０２は、パイロット信号等のＲＳ（Ｒｅｆｅｒｅｎｃｅ  Ｓｉｇｎａｌ）復調処理部１１０２ａと、ＰＤＣＣＨ（Ｐｈｙｓｉｃａｌ  Ｄｏｗｎｌｉｎｋ  Ｃｏｎｔｒｏｌ  ＣＨａｎｎｅｌ）復調処理部１１０２ｂと、ＰＤＳＣＨ（Ｐｈｙｓｉｃａｌ  Ｄｏｗｎｌｉｎｋ  Ｓｈａｒｅｄ  ＣＨａｎｎｅｌ）復調処理部１１０２ｃを含む。復号処理部１１０３は、ＰＤＣＣＨ復号処理部１１０３ａと、ＰＤＳＣＨ復号処理部１１０３ｂとを含む。
【００６２】
Ｒｅｆｅｒｅｎｃｅ  Ｓｉｇｎａｌ復調処理部１１０２ａの復調信号はＳＩＲ算出処理部５１４に出力され、ＣＱＩ報告値の算出用に用いられる。ＤｉｇＲＦ転送ｂｉｔ数判定部５７１は、ＣＱＩ報告値に基づき、ＤｉｇＲＦ転送ｂｉｔ数を判定する。
【００６３】
ＰＤＣＣＨ復号処理部１１０３ａの出力は、ＰＤＳＣＨ復調処理部１１０２ｃに出力され、ＰＤＳＣＨ復調処理部１１０２ｃは、逆拡散処理部５１１により逆拡散処理されたＰＤＳＣＨの信号と、ＰＤＣＣＨ復号信号とに基づき、ＰＤＳＣＨ復調処理を行う。
【００６４】
上記構成により、ＤｉｇＲＦ転送ｂｉｔ数判定部５７１は、受信状態別に、ＲＦＩＣ部１５０に設けられたＤｉｇＲＦインターフェース部１５２の転送ｂｉｔ数を制御する。
【００６５】
図１２は、実施の形態２にかかる受信状態別の変調方式の設定内容を示す図表である。ＣＱＩ報告値算出処理部５１５に設定されるテーブル内容の一例を示す。ＣＱＩ報告値算出処理部５１５は、図１２に示すＣＱＩ報告値（ＣＱＩ  Ｖａｌｕｅ）に基づいて、基地局に対して要求する変調方式を変更する。
【００６６】
例えば、図示のように、ＣＱＩ報告値が所定値（例えば）２６以上であり、無線装置が基地局に近い等で通信状態が良好な場合には、ＨＡＰＡ＋（変調方式：６４ＱＡＭ）の受信データを基地局に要求する。これにより、通信速度を向上できる。この際、量子化精度を向上させる必要がある。
【００６７】
一方、無線装置が基地局から遠くなる等の要因により、ノイズが増えＣＱＩ値が低くなるにしたがい、他の通信方式に切り替える。例えば、ＣＱＩ報告値が２５以下となればＨＳＤＰＡに切り替える。そして、ＣＱＩ報告値が１６〜２５の範囲では、変調方式を１６ＱＡＭとし、１〜１５の範囲では変調方式をよりノイズに強いＱＰＳＫに切り替える。
【００６８】
図１３は、実施の形態２にかかるＤｉｇＲＦ転送ｂｉｔ数判定例を示す図表である。ＤｉｇＲＦ転送ｂｉｔ数判定部５７１は、図１３に示す各受信状態別の処理情報の入力の有無に基づいて、転送ｂｉｔ数の判定を行う。例えば、間欠受信処理情報だけが入力（ＯＮ）されれば、転送ビット数（量子化精度）を４ｂｉｔと判定し、間欠受信時に対応する。また、ＣＱＩ報告値が２６以上であれば、他の処理情報の入力にかかわらず、転送ビット数（量子化精度）を９ｂｉｔと判定し、ＨＳＰＡ＋の通信方式に対応する。
【００６９】
そして、実施の形態２においても、受信状態別である、間欠受信時、ＤＣＨ受信時、ＨＳＵＰＡ受信時、ＨＳＤＰＡ受信時、ＨＳＰＡ＋（６４ＱＡＭ）受信時のそれぞれのＤｉｇＲＦの転送ｂｉｔ数（量子化精度）を判定する。この転送ｂｉｔ数判定後に、ＤｉｇＲＦ転送ｂｉｔ数制御コマンド生成部５７２によりＲＦＩＣ部１５０に対して転送ｂｉｔ数の通知制御を行う。そして、ＲＦＩＣ部１５０のＤｉｇＲＦ転送ｂｉｔ数制御部５８１は、転送ｂｉｔ数（量子化精度）をＤｉｇＲＦインターフェース部１５２に指定し、受信データに対するＤｉｇＲＦインターフェースの転送処理を行う。
【００７０】
（実施の形態３）
図１４は、実施の形態３にかかるインターフェース装置の構成を示すブロック図である。実施の形態３は、無線方式がＷＣＤＭＡおよびＬＴＥの無線装置に対応したインターフェース装置１４００の構成例である。実施の形態３は、実施の形態１に示したＷＣＤＭＡ方式の構成と、実施の形態２に示したＬＴＥ方式を切り替え可能な構成とを含む。
【００７１】
ＤｉｇＲＦインターフェースにかかる構成は、各実施の形態と同じである。異なる構成としては、それぞれの通信モードに対応した通信モード切替部１４０３と、復調処理部１４０４と、送信処理部１４０５とを有している。また、ＣＰＵ（Ｃｅｎｔｒａｌ  Ｐｒｏｃｅｓｓｉｎｇ  Ｕｎｉｔ）１４０２を有し、通信モード切替制御部１４０２ａとして機能する。
【００７２】
受信データ（Ｒｘ  Ｐａｔｈ）上には、通信モード切替部１４０３ａを設けて、ＷＣＤＭＡ復調処理部１４０４ａ、あるいはＬＴＥ復調処理部１４０４ｂのいずれかを動作選択して受信の通信モードを切り替える。
【００７３】
ベースバンド処理部１４０１は、通信方式がＷＣＤＭＡとＬＴＥ方式のいずれかに切替可能である。ＷＣＤＭＡ復調処理部１４０４ａは、実施の形態１（図５）に示した逆拡散処理部５１１、復調処理部５１２、復号処理部５１３、ＳＩＲ算出処理部５１４、ＣＱＩ報告値算出処理部５１５等を含む。ＬＴＥ復調処理部１４０４ｂは、実施の形態２（図１１）に示した逆拡散処理部５１１、復調処理部１１０２、復号処理部１１０３、ＳＩＲ算出処理部５１４、ＣＱＩ報告値算出処理部５１５等を含む。これらのうち、逆拡散処理部５１１、ＳＩＲ算出処理部５１４、ＣＱＩ報告値算出処理部５１５等は、いずれの通信方式でも使用するものであり、同一の構成を共用することができる。
【００７４】
通信モード切替部１４０３ｃには、ＷＣＤＭＡ復調処理部１４０４ａが出力するＷＣＤＭＡ復調処理情報と、ＬＴＥ復調処理部１４０４ｂが出力するＬＴＥ復調処理情報とが入力される。ＤｉｇＲＦ転送ｂｉｔ数判定部５７１は、これらＷＣＤＭＡ通信時、およびＬＴＥ通信時のそれぞれについて、上記各実施の形態の説明と同様に、受信状態別のＤｉｇＲＦ転送ｂｉｔ数を判定する。
【００７５】
送信データ（Ｔｘ  Ｐａｔｈ）上には、通信モード切替部１４０３ｂを設けて、ＷＣＤＭＡ送信処理部１４０５ａ、あるいはＬＴＥ送信処理部１４０５ｂのいずれかを動作選択して送信の通信モードを切り替える。これにより、通信モードが異なっても、ＲＦＩＣ部１５０のＤｉｇＲＦインターフェース部１５２は、各通信モードにおいて受信状態別の転送ビット数（量子化精度）による転送処理を行う。
【００７６】
ＣＰＵ１４０２は、無線装置に設けられて全体を統制制御するＣＰＵの一部機能として、通信モード切替制御部１４０２ａの機能を実行する構成としてもよい。このＣＰＵ１４０２は、図示しないＲＯＭ（Ｒｅａｄ−Ｏｎｌｙ  Ｍｅｍｏｒｙ）の制御プログラムを実行し、ＲＡＭ（Ｒａｎｄｏｍ  Ａｃｃｅｓｓ  Ｍｅｍｏｒｙ）をワークエリアとして用いる。
【００７７】
図１５は、実施の形態３にかかる通信モードの切替処理を示すフローチャートである。ＣＰＵ１４０２の通信モード切替制御部１４０２ａが実行する処理を示す。はじめに、通信モード切替制御部１４０２ａは、ＬＴＥ周辺基地局のＣｅｌｌ情報があるか判断する（ステップＳ１５０１）。ＬＴＥ復調処理情報により、ＬＴＥ周辺基地局のＣｅｌｌ情報がある場合には（ステップＳ１５０１：Ｙｅｓ）、高速パケット通信要求があるか判断する（ステップＳ１５０２）。高速パケット通信要求がある場合には（ステップＳ１５０２：Ｙｅｓ）、通信モード切替部１４０３に対し、通信モードをＬＴＥに切替設定する（ステップＳ１５０３）。
【００７８】
一方、ＬＴＥ復調処理情報により、ＬＴＥ周辺基地局のＣｅｌｌ情報がない場合（ステップＳ１５０１：Ｎｏ）、あるいは高速パケット通信要求がない場合（ステップＳ１５０２：Ｎｏ）、いずれも、通信モード切替部１４０３に対し、通信モードをＷＣＤＭＡに切替設定する（ステップＳ１５０４）。
【００７９】
上記のように、通信モードをＬＴＥとＷＣＤＭＡとで切り替えることができ、ＬＴＥによる高速通信が可能になる。加えて、いずれの通信モード時においても、ＲＦＩＣ部１５０のＤｉｇＲＦインターフェース部１５２は、各通信モードにおいて受信状態別に対応した転送ビット数（量子化精度）による転送処理を行うことができる。
【００８０】
上記の構成例では、通信モードをＬＴＥとＷＣＤＭＡの例を用いて説明したが、ＤｉｇＲＦインターフェースの転送ビット数の可変制御は、他の通信モードについても必要ビット数を満たすように制御することができる。
【００８１】
以上説明した各実施の形態によれば、無線装置の受信状態を判別して、ＤｉｇＲＦ通信の転送ビット数（量子化精度）を各受信状態別に対応した必要ビット数となるように可変制御してデータ長を可変させる。これにより、必要ビット数が少ない受信状態時には、転送ビット数を減らしてデータ長を減らし、ＤｉｇＲＦインターフェースにおける省電力区間を多く形成できるようになり、消費電流の削減を行える。また、必要ビット数が多い受信状態時には、転送ビット数を増やしてデータ長を増やし、高速通信等の受信性能を満たしたデータ転送を行えるようになる。
【００８２】
なお、本実施の形態で説明したインターフェース制御方法は、予め用意されたプログラムをＤＳＰ（Ｄｉｇｉｔａｌ  Ｓｉｇｎａｌ  Ｐｒｏｃｅｓｓｏｒ）やＭＰＵ（Ｍｉｃｒｏ−Ｐｒｏｃｅｓｓｉｎｇ  Ｕｎｉｔ）などの演算機能を有するプロセッサで実行することにより実現することができる。また、このプログラムは、不揮発性半導体メモリ、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、このプログラムは、インターネット等のネットワークを介して配布してもよい。また、このプログラムは、フラッシュＲＯＭやＲＯＭ等に記憶し、ＲＡＭがプロセッサのワークエリアとして使用される。メモリに記憶されるプログラムをプロセッサがロードすることで、コーディングされている処理を実行する。また、このプログラムは、本実施の形態で説明したインターフェース制御方法を使用するハードウェア回路を構成するように、ハードウェア記述言語（Ｈａｒｄｗａｒｅ  Ｄｅｓｃｒｉｐｔｉｏｎ  Ｌａｎｇｕａｇｅ）を用いて記述されてもよい。
【００８３】
上述した各実施の形態に関し、さらに以下の付記を開示する。
【００８４】
（付記１）無線通信時の受信データを処理した処理情報に基づき、無線回路同士のインターフェース間のデジタルデータ転送に必要なデータ長を判定する判定部と、
前記判定部により判定されたデータ長によりデータ転送を行う送信側のインターフェース部と、
を有することを特徴とするインターフェース装置。
【００８５】
（付記２）前記インターフェースは、ＤｉｇＲＦインターフェースであり、
前記判定部は、受信データの受信状態別に必要なデータ長を判定することを特徴とする付記１に記載のインターフェース装置。
【００８６】
（付記３）前記判定部は、前記処理情報としてチャネル品質指標に基づき選択される無線変調方式別に必要なデータ長を判定することを特徴とする付記１または２に記載のインターフェース装置。
【００８７】
（付記４）前記判定部は、前記受信状態別に対応した無線変調方式に必要なデータ長を判定することを特徴とする付記２に記載のインターフェース装置。
【００８８】
（付記５）前記判定部は、前記受信データの受信状態別に必要なデータ長に対応する転送ビット数を判定し、
前記インターフェース部は、前記転送ビット数に基づきデータ量子化し、データ転送を行うことを特徴とする付記２〜４のいずれか一つに記載のインターフェース装置。
【００８９】
（付記６）データ送信側の無線回路は、受信データをＡＤ変換するＡＤ変換器と、
前記ＡＤ変換器が出力するデジタル信号をデータ受信側の無線回路に転送する送信側のインターフェース部とを含み、
前記ＡＤ変換器の量子化ビット数が固定の場合、
前記インターフェース部は、前記転送ビット数に対応して、前記ＡＤ変換器が出力する下位ビットを切り捨てることを特徴とする付記５に記載のインターフェース装置。
【００９０】
（付記７）前記受信状態は、ＷＣＤＭＡ通信規格の間欠受信状態、ＤＣＨ通信状態、ＨＳＵＰＡ通信状態、ＨＳＤＰＡ通信状態、ＨＳＰＡ＋通信状態を含み、
前記無線変調方式は、ＱＰＳＫ、１６ＱＡＭ、および６４ＱＡＭを含むことを特徴とする付記２〜６のいずれか一つに記載のインターフェース装置。
【００９１】
（付記８）前記受信状態は、ＬＴＥ通信規格の間欠受信状態、ＤＣＨ通信状態、ＨＳＵＰＡ通信状態を含み、
前記無線変調方式は、ＱＰＳＫ、１６ＱＡＭ、および６４ＱＡＭを含むことを特徴とする付記２〜６のいずれか一つに記載のインターフェース装置。
【００９２】
（付記９）付記１〜７のいずれか一つに記載のインターフェース装置を備えたことを特徴とする無線装置。
【００９３】
（付記１０）付記１〜７のいずれか一つに記載のインターフェース装置としてハードウェア回路を構成させるハードウェア記述言語を含むことを特徴とするプログラム。
【００９４】
（付記１１）無線電波を受信する無線部と、
通信方式が切替可能なベースバンド処理部と、
前記無線部と前記ベースバンド処理部との間のデータ転送を行うインターフェース装置と、を含む通信システムにおいて、
前記インターフェース装置は、
運用中の通信方式による無線通信時の受信データを処理した処理情報に基づき、無線回路同士のインターフェース間のデジタルデータ転送に必要なデータ長を判定する判定部と、
前記判定部により判定されたデータ長によりデータ転送を行う送信側のインターフェース部と、
を有することを特徴とする通信システム。
【００９５】
（付記１２）無線通信時の受信データを処理した処理情報に基づき、無線回路同士のインターフェース間のデジタルデータ転送に必要なデータ長を判定する判定ステップと、
前記判定ステップによって判定されたデータ長を有して、送信側のインターフェース部によりデータ転送を行う転送ステップと、
を含むことを特徴とするインターフェース制御方法。
【００９６】
（付記１３）前記インターフェースは、ＤｉｇＲＦインターフェースであり、
前記判定ステップは、受信データの受信状態別に必要なデータ長を判定することを特徴とする付記１２に記載のインターフェース制御方法。
【符号の説明】
【００９７】
１００，５００，１１００，１４００  インターフェース装置
１０１，１１０１  ベースバンド処理部
１１１，１１２，１５１，１５２  ＤｉｇＲＦインターフェース部
１５０  ＲＦＩＣ部
１５３  ＤＡＣ
１５４  ＡＤＣ
１６０  アンテナ
５０１  ＤｉｇＲＦ制御部
５１１  逆拡散処理部
５１２（５１２ａ〜５１２ｄ）  復調処理部
５１３（５１３ａ〜５１３ｃ）  復号処理部
５１４  ＳＩＲ算出処理部
５１５  ＣＱＩ報告値算出処理部
５７１  ＤｉｇＲＦ転送ｂｉｔ数判定部
５７２  ＤｉｇＲＦ転送ｂｉｔ数制御コマンド生成部
５８１  ＤｉｇＲＦ転送ｂｉｔ数制御部
【図１】
2014232957.tif 000003
【図２】
2014232957.tif 000004
【図３】
2014232957.tif 000005
【図４】
2014232957.tif 000006
【図５】
2014232957.tif 000007
【図６】
2014232957.tif 000008
【図７】
2014232957.tif 000009
【図８】
2014232957.tif 000010
【図９】
2014232957.tif 000011
【図１０】
2014232957.tif 000012
【図１１】
2014232957.tif 000013
【図１２】
2014232957.tif 000014
【図１３】
2014232957.tif 000015
【図１４】
2014232957.tif 000016
【図１５】
2014232957.tif 000017
【図１６】
2014232957.tif 000018